(57)【要約】【課題】  コンロなどの燃料に容易に着火でき、持ち運び容易で、安全な着火材と燃料入りの燃料小箱を提供する【解決手段】  １辺１５ｃｍのボール紙２製の小箱１のふた２ａを開け、ポリエチレン袋３を挿着して袋３の口３ｂを拡げ、底３ａに大径木炭９ａなどの燃料９を小箱１の高さの半分まで詰め、上半分に小径木炭７と木屑５と丸めた紙屑６とを混合充填し、ポリエチレン袋３の口３ｂを密閉し、さらに閉じた袋３の上に、乾燥した紙片４を折り畳んで載せ、その端片４ｂを小箱１のふた外面２ｃに形成の小窓２ｂから引き出し、その引き出した端片４ｂを粘着テープ８でふた外面２ｃの小窓２ｂの周囲に係止してボール紙箱２のふた２ａを閉じて形成した着火材入りの燃料小箱。【選択図】      図１
0003118459.tif 000002
【実用新案登録請求の範囲】
【請求項１】
１辺が１５ｃｍ前後の立方体の小箱１をボール紙２から形成し、小箱１の上面をふた２ａに形成し、ふた２ａを開けた小箱１にポリエチレン袋３を挿着して小箱１内でポリエチレン袋３の口３ｂを拡げ、このポリエチレン袋３の底３ａに大径木炭９ａや大径おが屑炭９ｂなどの燃料９を小箱１の高さの半分まで詰め、さらに、その上の残りの半分に小径木炭７と乾燥した使用済み割り箸５ａなどの木屑５と丸めた紙屑６とを混合して充填し、ポリエチレン袋３の口３ｂを密閉し、密閉したポリエチレン袋３の上に、硫酸紙４ａなどの良く乾燥した紙片４を折り畳んで載せ、折り畳んだ硫酸紙４ａの端片４ｂを小箱１のふた外面２ｃに形成した小窓２ｂから引き出し、その引き出した端片４ｂを容易につまみ出せるように粘着テープ８でふた外面２ｃの小窓２ｂの周囲に係止してボール紙箱２のふた２ａを閉じて形成したことを特徴とする着火材入りの燃料小箱。
【考案の詳細な説明】
【技術分野】
【０００１】
この考案は、七輪やコンロなどの家庭用の燃焼用具中あるいはキャンプ地でレンガや石で組み立てた臨時の石組み炉中の木炭やたどんなどの燃料に着火するための着火材を有する燃料小箱に関し、特に持ち運びが容易で簡単に燃焼用具中にセットでき、しかもマッチ１本で容易に着火できる着火材入りの燃料小箱に関する。
【背景技術】
【０００２】
従来、七輪やコンロなどで燃料用の炭に火をつける際には、関西地方で空消しといわれる消し炭を用いていた。この消し炭は各家庭のかまどで燃料の薪などの燃えかすの発火物を火消壺に入れて消して得た着火性のきわめて良好なやわらかい炭で、この消し炭はどこの家庭でも造られていた。この消し炭を用いると、古新聞紙などを丸めたものに消し炭を載せて丸めた古新聞紙に火を付けるだけできわめて容易に火起こしができ、この上に堅炭である木炭やたどんを継ぎ足し燃焼させた。しかし、家庭のかまどで煮炊きをしなくなってからは、このような消し炭は各家庭から姿を消した。消し炭は市販もされていない。
【０００３】
ところで、七輪やコンロなどで燃料用の炭に火をつける火起こしは、簡単なようで意外に時間が掛かり、また火を付きやすくするためは、燃料中の空気流通を良好とするように、燃料の木屑や薪などを隙間を設けて組みつける必要があり、このために多少の熟練を要した。
【０００４】
そこで、火を起こしやすくするために、火起こし用の着火炭や着火剤が市販されている。この市販の着火炭は湿気がある場合、火が着きにくかった。初めにこの着火に失敗すれば、再び火を着けようとしても火は着かず、異臭がする。しかも、着火したときは、炎が高く燃え上がり危険であった。このため、不測の事故に具える準備が必用であった。
【０００５】
さらに市販の着火剤があるが、この着火剤は例えばアルコールを主成分とする着火液からなるものである。この着火剤を使用して火を起こす場合、この着火液を木炭などの固体燃料の種炭に塗り付けることで、容易に着火できるものとなる。しかし、この着火剤はアルコール系の溶液をビンなどの容器に入れているものなので、容器が破損して液漏れなどを起こす危険があり、また、誤って使用すると危険で、飛び火などもあり、失明の危険があると容器の注意事項に記載されていた。持ち運びも要注意で、公共の交通機関では持ち運びが制限されていた。おが屑炭も市販されているが、これは硝酸入りのおが屑炭であり湿気などに弱く、燃えない場合があり、燃焼時間も１時間と短いものである。
【０００６】
さらにキャンプなどで使用するためにはこれらの着火材のみならず、固体燃料自体も持って行く必要があり、そのため荷物の個数やその嵩が増え、搬送に不便を感じていた。
【考案の開示】
【考案が解決しようとする課題】
【０００７】
この考案が解決しようとする課題は、家庭用の七輪やコンロなどあるいはキャンプ地でレンガや石で組んだ造った臨時の石組み炉などにおいて、木炭やたどんなどの固体燃料に短時間で容易に着火でき、かつ持ち運びが容易で、しかも安全に使用できる状態として、着火材と煮炊き用に十分な燃料となる炭やたどんなどの固体燃料を入れて形成した燃料小箱を提供することである。
【課題を解決するための手段】
【０００８】
上記の課題を解決するためのこの考案の手段は、
【０００９】
１辺が凡そ１５ｃｍの立方体の小箱１をボール紙２から形成し、この小箱１の上面をふた２ａに形成する。さらに、ふた２ａを開けた小箱１にポリエチレン袋３を挿着し、小箱１内でポリエチレン袋３の口３ｂを拡げて、先ず、このポリエチレン袋３の底３ａに大径木炭９ａや大径おが屑炭９ｂなどの燃料９を小箱１の高さの半分まで詰める。さらに、その上の残りの半分に１〜５ｃｍに砕いた小径木炭７と乾燥した使用済み割り箸５ａなどの長さ３〜６ｃｍの棒状の木屑５と丸めた直径３ｃｍ程度の大きさの紙屑６とを混合して充填し、ポリエチレン袋３の口３ｂを密閉する。
【００１０】
この密閉したポリエチレン袋３の上に、硫酸紙４ａなどの良く乾燥した長さ２０ｃｍの帯状の紙片４を折り畳んで載せ、折り畳んだ硫酸紙４ａの長さ５〜６ｃｍの端片４ｂを小箱１のふた外面２ｃに形成した小窓２ｂから引き出す。その引き出した端片４ｂを粘着テープ８でふた外面２ｃの小窓２ｂの周囲に係止し、容易につまみ出せるようにした後、ボール紙箱２のふた２ａを閉じて密封して形成した着火材入りの燃料小箱である。
【考案の効果】
【００１１】
この考案は、上記の手段で示す構成としたので、着火材と同時に燃料を有するにもかかわらず、これらを一体物として容易に搬送できるので取り扱いが煩わしくなく、しかも炭を扱いながら手を汚すことなく、ざらに、小箱に入っているので多少の湿気には耐えられ、保管に神経を使わなくて良く、燃焼する材料が自然材のため炎の大きさが予測できるので危険が予測でき、かつ、マッチ１本でこつを要せず誰でも着火して火起こしができる。さらに、１個の箱体に詰めた着火材入り燃料小箱中の大径木炭や大径おが屑炭などの大径炭からなる燃料は１辺が約１５ｃｍｍの箱体の凡そ半分まで詰められているので、この大径炭のみで約２〜３時間の燃焼が可能であり、しかも、素材が紙と木と炭とポリエチレンからなり、いずれも水素と炭素と酸素からなるので、有害な硫黄成分を含んでおらず、環境にやさしく、十分な煮炊きや暖房をとることができるなど、本考案は優れた効果を奏するものである。
【考案を実施するための最良の形態】
【００１２】
本考案を実施するための最良の形態を、図面を参照して説明する。この考案の着火材を有する燃料小箱は、七輪１０ａなどの家庭用のコンロ１０やあるいはキャンプなどの野外でのレンガや石を寄せて組み立てた臨時の石組み炉からなるコンロ１０中に装着し、中に入れた木炭やたどんなどの燃料９に着火するための着火材を有する燃料小箱である。特にこの着火材を有する燃料小箱は持ち運びが容易で、簡単に燃焼用具中に装着でき、しかもマッチ１本で容易に着火できる着火材入りの燃料小箱である。
【００１３】
この着火材入りの燃料の収納ケースである小箱１は、図１に示すように、１辺が約１５ｃｍの立方体のボール紙２からなる小箱１である。このボール紙２はティッシュケースなどと同様の脂質のボール紙で燃えかすの少ないものを用いる。この小箱１は片開きのふた２ａを有する。このふた２ａを上にして、ふた２ａ開けて小箱１の中にポリエチレン袋３を敷くように入れる。このポリエチレン袋３の内部の底３ａに燃焼時間が凡そ２〜３時間となるように大径木炭９ａや大径おが屑炭９ｂなどの燃料９を小箱１の高さの半分ぐらいまで充填する。
【００１４】
さらに、小箱１の上の残りの上半分に、火が着きやすくするために、大きさ１〜５ｃｍ径に砕いた小径木炭７と、乾燥した使用済み割り箸５ａなどの長さ３〜６ｃｍの木屑５と、新聞紙などの１０平方ｃｍを丸めて直径３ｃｍぐらいとした紙屑６との３種類を３分の１ずつ適当に混合して充填する。これらの不定形物を適当に混合することで十分に燃えやすい空気流通の良好な環境を作る。すなわち棒状の木屑５はブリッジ状になり、着火するときに、この部分を下側にして火を着けるので、上からの大炭の重さを支えて、これらの間の空気の流通を助ける働きをする。これらの３種類を混合物を詰め終わると、上部のポリエチレン袋３の口３ｂを密閉する。
【００１５】
次いで、この密封したポリエチレン袋３の上に硫酸紙４ａなどの燃えやすい紙をほぼ２０ｃｍの帯状に折り畳んで端片４ｂを５〜６ｃｍ程延ばした状態として入れ、この硫酸紙４ａの端片４ｂを小箱１のふた外面２ｃに設けた切り込みを入れて形成した径が４ｃｍ程度の小窓２ｂからふた外面２ｃ上に５〜６ｃｍ引き出し、引き出した端片４ｂを容易につまみ出せるように粘着テープ８でふた外面２ｃの小窓２ｂの周囲に粘着テープ８で係止し、導火紙１１とする。この場合、硫酸紙に代えて、例えばちり紙などの紙でもよい。小窓２ｂも湿気が入らないように粘着テープ８で封をする。次いでボール紙箱２のふた２ａを閉じて密封し、着火材入り燃料小箱とする。
【００１６】
この着火材入り燃料小箱の使用方法について図２を参照して説明する。図２に示すように、コンロ１０例えば七輪１０ａに、この着火材入り燃料小箱を導火紙１１を有するふた外面２ｃを斜め下になる向きにひっくり返して燃料９の大径木炭９ａや大径おが屑炭９ｂが箱内で上部に位置するようにして載せる。このとき着火のために、前もって粘着テープ８を外して端片４ｂを摘んで引き出して導火紙１１としておく。次いで、小箱１から引き出した端片４ｂの導火紙１１にマッチやライターで火を着ける。火は徐々に小箱１の上方へと燃え移り、小箱１内を燃え広がり、燃料９の大径木炭９ａや大径おが屑炭９ｂに燃え移り、約２０分で真っ赤になって小箱１は燃え去り、着火した真っ赤な炭が七輪１０ａに残って煮炊きができる状態となる。この１個の小箱１で２〜３時間の煮炊きができ、また暖をとることができる。
【図面の簡単な説明】
【００１７】
【図１】本考案の着火材入りの燃料小箱の出来上がり状態を側面から模式的に示した図である。
【図２】七輪にひっくり返して着火材入りの燃料小箱を載せた着火直前の図である。
【符号の説明】
【００１８】
１  小箱
２  ボール紙
２ａ  ふた
２ｂ  小窓
２ｃ  ふた外面
３  ポリエチレン袋
３ａ  底
３ｂ  口
４  紙片
４ａ  硫酸紙
４ｂ  端片
５  木屑
５ａ  使用済み割り箸
６  紙屑
７  小径木炭
８  粘着テープ
９  燃料
９ａ  大径木炭
９ｂ  大径おが屑炭
１０  コンロ
１０ａ  七輪
【図１】
0003118459.tif 000003
【図２】
0003118459.tif 000004